(57)【要約】【課題】天然繊維の利点を損なうことなく、水遣りの頻度を少なくできるとともに、根腐れも防止できる吊り鉢のインナーを提供することを目的としている。【解決手段】透水性を有し、少なくとも天然繊維からなる上部開口の容器形状をした外層２と、透水性を有し、少なくとも天然繊維からなる上部開口の容器形状をした内層１と、非透水性材料からなり、少なくとも内層１の底から内層１の上縁またはその近傍まで達する上部開口の容器形状をして、底部に水抜き孔３１が穿設された中間層３を備えることを特徴としている。【選択図】      図３
2017163873.tif 000002
【特許請求の範囲】
【請求項１】
透水性を有し、少なくとも天然繊維からなる上部開口の容器形状をした外層と、
透水性を有し、少なくとも天然繊維からなる上部開口の容器形状をした内層と、
非透水性材料からなり、前記外層と内層と間に設けられ、底部に水抜き孔が穿設された上部開口の容器形状をした中間層を備えることを特徴とする吊り鉢のインナー。
【請求項２】
底から２０ｍｍ以内の高さ位置に水抜き孔が穿設されている請求項１に記載の吊り鉢のインナー。
【請求項３】
中間層の上端縁が、外層及び内層の上端縁より低く、かつ、予め設定されたインナー内への用土充填高さと同じ高さになっている請求項１または請求項２に記載の吊り鉢のインナー。
【請求項４】
天然繊維が、ココヤシ繊維である請求項１〜請求項３のいずれかに記載の吊り鉢のインナー。
【請求項５】
中間層を介して内層と外層とが接合されている請求項１〜請求項４のいずれかに記載の吊り鉢のインナー。
【請求項６】
内層と外層が水抜き孔部分で接している請求項１〜請求項５のいずれかに記載の吊り鉢のインナー
【請求項７】
水抜き孔は、上記インナー内に直接５００ｍｌの水を入れたとき、インナーからの排水が、１分以上１０分以内で完了するように、その数、径が設定されている請求項１〜請求項６のいずれかに記載の吊り鉢のインナー。
【発明の詳細な説明】
【技術分野】
【０００１】
本発明は、吊り鉢にインナーに関する。
【背景技術】
【０００２】
図１０に示すように、籠部１１０と、吊り下げ部１２０を備えた吊り下げ具１００と、籠部１１０の内側に内層されるココヤシ繊維の不織布マットで形成されたインナー２００を備えた吊り鉢（ハンギングバスケット）３００が上市されている（非特許文献１）。
すなわち、この吊り鉢３００は、インナー２００がココヤシ繊維の不織布マットを器形状に形成しただけであるので、通気性に優れるとともに、インナー２００内の用土に給水された余剰水がインナー２００の壁面を通り容易に抜け出るため、インナー２００内に植栽された植物が、根腐れを起こしにくいという利点がある。
また、インナー２００は、天然繊維であるココヤシ繊維で形成されているので、植栽された植物とのマッチングがよく、庭や室内の装飾性にも優れたものとすることができるとともに、環境にやさしい。
透水性に優れたココヤシ繊維で形成されているため、水遣り時に用土に給水された余剰の水は、ココヤシ繊維の隙間を通り、外部に排水されるため、植栽された草花が根腐れを起こすという問題はない。
【先行技術文献】
【非特許文献】
【０００３】
【非特許文献１】インターネット  アイリスオーヤマ通販サイトアイリスプラザ  商品名パームハンギングバスケット  平成２７年１１月２６日検索（URL http://www.irisplaza.co.jp/Index.asp?KB=SHOSAI&SID=G516926F&SHOP=2）
【発明の概要】
【発明が解決しようとする課題】
【０００４】
しかし、上記インナーは、透水性だけでなく、通気性にも優れているため、天候や吊り鉢の設置場所のよっては、用土がすぐに乾いてしまい、頻繁に水遣りしなければならないという問題がある。
【０００５】
本発明は、上記事情に鑑みて、天然繊維の上記利点を損なうことなく、水遣りの頻度を少なくできるとともに、根腐れも防止できる吊り鉢のインナーを提供することを目的としている。
【課題を解決するための手段】
【０００６】
上記目的を達成するために、本発明にかかる吊り鉢のインナー（以下、「本発明のインナー」と記す）は、透水性を有し、少なくとも天然繊維からなる上部開口の容器形状をした外層と、透水性を有し、少なくとも天然繊維からなる上部開口の容器形状をした内層と、非透水性材料からなり、前記外層と内層と間に設けられ、底部に水抜き孔が穿設された上部開口の容器形状をした中間層を備えることを特徴としている。
【０００７】
本発明において、水抜き孔は、インナー内に給水された水を根腐れを起こさない程度まで排水できれば特に限定されず、インナーの大きさによって適宜決定されるが、インナーの底から２０ｍｍ以内の高さに設けることが好ましく、１５ｍｍ以内の高さに設けることがより好ましい。
【０００８】
本発明のインナーは、特に限定されないが、中間層の上端縁が、外層及び内層の上端縁より低く、かつ、予め設定されたインナー内への用土充填高さと同じ高さになっていることが好ましい。
すなわち、用土を中間層の上端縁より上方までいれると、中間層の上端縁より上側の用土が外層および内層を通気した空気に触れやすくなるため、乾燥が進みやすい。
【０００９】
一方、中間層の上端縁を外層および内層の上端縁とほぼ一致させるようにしても構わないが、一般的に用土は、インナーの底から外層および内層の上端縁までの高さの７０％〜９０％の高さ、好ましくは７０％〜８０％の高さまで充填されることが好ましい。
したがって、用土の充填高さは、インナーの底から外層および内層の上端縁までの高さの７０％〜９０％の高さ、好ましくは７０％〜８０％の高さに設定される。
【００１０】
本発明において、外層および内層に使用される天然繊維の材料としては、例えば、ココヤシ、シュロ、ジュート、竹、ケナフなどが挙げられ、ココナッツミルクの製造時等に発生する廃材を使用できるココヤシ繊維が安価で自然にやさしいため好ましい。
また、外層および内層としては、例えば、上記天然繊維の不織布が用いられる。
不織布としては、ニードルパンチのみで繊維同士を交絡させたものでも構わないし、透水性を損なわない程度でバインダーを介して交絡部を接着しても構わない。
【００１１】
本発明において、中間層を構成する非透水性材料としては、特に限定されないが、例えば、ポリエチレン、ポリプロピレン、ポリ乳酸、ポリエチレンテレフタレート等の熱可塑性樹脂フィルムが挙げられる。
【００１２】
また、中間層は、内層と外層の間に保持されていれば、外層および内層に接着されている必要はないが、バインダーを介して、あるいは、熱融着などによって外層および内層を、中間層を介して接合しておくことが好ましい。
すなわち、中間層によって、外層および内層を構成する天然繊維がばらけることを防止できるとともに、インナーを受けるバスケット等の大きさに合わせて自由に切断したり、インナーの所望位置に切れ込みを入れて植物をこの切れ込みを介して生育させて、より意匠性の高い寄せ植えなどを行うことができる。
【００１３】
本発明において、インナーの形状としては、特に限定されないが、略ボウル、略円錐形状、略角錐形状、半円筒形状等が挙げられ、底が扁平になっている箱状をしていても構わない。
【００１４】
本発明において、水抜き孔は、底、すなわち、中間層の最低部に設けられていれば、１つでも２つ以上でも構わない。また、底が扁平なインナーにおいては、底中央に設けることが好ましい。
中間層の厚みは、水抜き孔以外で水が透過しなければ、特に限定されないが、必要な強度さえあれば、インナーの可撓性や切断などの加工性を考慮すると、薄い方が好ましい。
【００１５】
本発明において、内層と外層は、上記水抜き孔の部分で接していても構わない。
水抜き孔の孔径、孔の数は、特に限定されないが、例えば、上記インナー内に直接（用土を充填しない、インナー内が空の状態）５００ｍｌの水を入れたとき、インナーからの排水が、１分以上１０分以内で完了するように設定することが好ましく、１分３０秒以上３分以下で完了することが好ましい。
すなわち、1分未満であると、水の透過速度が速すぎて、インナー内の用土が十分に湿るまで給水する際に余分な水を使いすぎるおそれがある。
また、排水時間が長すぎると、根腐れを起こすおそれがある。
なお、上記排水が完了するとは、水滴が１分以上落下しなくなッた状態を意味する。
【発明の効果】
【００１６】
本発明のインナーは、上記のように、透水性を有し、少なくとも天然繊維からなる上部開口の容器形状をした外層と、透水性を有し、少なくとも天然繊維からなる上部開口の容器形状をした内層と、非透水性材料からなり、前記外層と内層と間に設けられ、底部に水抜き孔が穿設された上部開口の容器形状をした中間層を備えるので、以下のような優れた性能を有する。
【００１７】
すなわち、中間層が底部に水抜き孔を備えているので、インナー内の用土に過剰に水遣りをして、一旦インナー内に水が溜まっても、余剰の水は、その後、水抜き孔を介してインナー外に排出される。
したがって、根腐れを防止できる。
【００１８】
また、中間層が非透水性材料で形成されているので、インナー内の用土は、植栽された植物の隙間および水抜き孔部分を除き、外部から隔離した状態になる。
したがって、用土を適度な湿り気を持った状態に長時間維持できるので、水遣りの頻度を少なくできる。
【図面の簡単な説明】
【００１９】
【図１】本発明のインナーの第１の実施の形態をあらわす一部切欠斜視図である。
【図３】図１のインナーの断面図である。
【図３】図２のインナー底部の拡大断面図である。
【図４】本発明のインナーの第２の実施の形態をあらわす一部切欠斜視図である。
【図５】本発明のインナーの第３の実施の形態をあらわす一部切欠斜視図である。
【図６】図５のインナーの中間層を底面側から見た斜視図である。
【図７】本発明のインナーの第４の実施の形態をあらわす一部切欠斜視図である。
【図８】実施例のインナーの概略平面図である。
【図９】図８のインナーの概略断面図である。
【図１０】従来の吊り鉢の１例をあらわす斜視図である。
【発明を実施するための形態】
【００２０】
以下に、本発明を、その実施の形態を参照して詳しく説明する。
図１〜図３は、本発明のインナーの第１の実施の形態をあらわしている。
【００２１】
図１に示すように、このインナーＡは、上端開口の外径が２５０〜４００ｍｍ、内径が２３８〜３９６ｍｍのボウル状に成形されていて、内層１と，外層２と、中間層３を備えている。
外層２は、ココヤシ繊維をニードルパンチして得られた不織布で形成されていて、厚さが２〜６ｍｍである。
【００２２】
内層１は、ココヤシ繊維をニードルパンチして得られた不織布で形成されていて、厚さが２〜６ｍｍである。
中間層３は、厚さ３０μｍ〜１００μｍのポリエチレン樹脂フィルムでボウル状に形成されていて、ボウルの底に水抜き孔３１を１つ備えている。
水抜き孔３１の径は、特に限定されないが、インナーＡ内に一度に５００ｍｌの水まで水を入れ、インナーＡの底から１分以上水滴の落下がない状態になるまでの時間が１分以上３分以内となる径となっている。
【００２３】
内層１および外層２は、それぞれ中間層３の界面で中間層３に熱融着されているとともに、その上縁部および水抜き孔３１の部分で直接接している。
なお、上記各部の寸法は、目標値であって、不織布部分は、測定場所によっては少し上記寸法から上下する場合がある。
【００２４】
このインナーＡは、上記のように、底に水抜き孔３１が穿設された非透水性樹脂からなる中間層３が内層１と外層２との間に設けられているので、インナーＡ内に、用土の保水量を上回る余剰の水が供給されたとしても、余剰の水が水抜き孔３１および外層２を介してインナーＡ外に排水される。また、水抜き孔３１を介して内層１および用土の通気性を確保することができる。
すなわち、インナーＡの底に水がたまり、植栽された植物が溜まった水によって根腐れを起こすようなことがない。
【００２５】
また、内層１および外層２がココヤシ繊維で形成され、中間層３がポリエチレン樹脂フィルムで形成されて、全体が可撓性を有しているので、コンパクトに折り畳むことができ、保管コストや輸送コストを低減できる。
さらに、鋏やカッター等を用いて容易に切断できるので、いろいろな使用途に適応できる。
【００２６】
図４は、本発明にかかるインナーの第２の実施の形態をあらわしている。
図４に示すように、このインナーＢは、紡錘状をしている以外は、上記インナーＡと同様になっている。
【００２７】
図５は、本発明にかかるインナーの第３の実施の形態をあらわしている。
図５に示すように、このインナーＣは、有底半円筒形状箱状をしている。
そして、図６に示すように、中間層３は、扁平な底３２に２つの水抜き孔３３を備えている以外は、上記インナーＡと同様になっている。
【００２８】
図７は、本発明にかかるインナーの第４の実施の形態をあらわしている。
図７に示すように、このインナーＤは、４半球状の容器形状をしている以外は、上記インナーＡと同様になっている。
【００２９】
（実施例１）
図８および図９は、本発明にかかるインナーの具体的な実施例をあらわしている。
図８および図９に示すように、このインナーＥは、半球状をした厚み約２.５ｍｍのココヤシ繊維マットからなる外層１と、半球状をした厚み約２.５ｍｍのココヤシ繊維マットからなる内層１と、厚さ５０μｍのポリエチレンフィルムからなる中間層３を備え、約２Lの用土が充填(中間層３の上端にほぼ一致する高さまで充填)されるようになっている。
中間層３は、図９に示すように、底部に４つの水抜き孔３１を備えている。
そして、各部の寸法が以下のようになっている。
Ｒ１：  約２５０ｍｍ
Ｒ２：  約２４８ｍｍ
Ｒ３：  約２４５ｍｍ
Ｈ１：  約１３０ｍｍ
Ｈ２：    約９１ｍｍ
Ｈ３：   約２．５ｍｍ
ｒ（孔径）：   ７ｍｍ
孔間距離：  ２０ｍｍ
上記インナーＥを図１０に示すような吊り下げ具１００の籠部１１０にセットして吊り下げた状態で、ペットボトルに入れた５００ｍｌの水を一気にインナーＥ内に注ぎ入れたところ、１分３０秒で、底からの水の排出が、１分以上止まった。
【００３０】
本発明は、上記の実施の形態に限定されない。例えば、上記の実施の形態では、水抜き孔が１つであったが、複数設けるようにしても構わない。
また、上記の実施の形態では、中間層となるポリエチレンシートに予め孔を設けていたが、孔が穿設されていない樹脂シートを内層と外層との間に挟み込んだ状態でボウル状に成形し、その後、例えば、針状の穿孔具を内層側あるいは外層側から中間層を貫通するように差し込むことによって水抜き孔を穿孔するようにしても構わない。
【００３１】
上記の実施の形態では、内層および外層と、中間層がその界面で熱融着されていたが、中間層は、内層と外層の間でずれ動かないように保持できれば界面で固着されていなくても構わない。また、部分的に固着されていても構わない。
【符号の説明】
【００３２】
Ａ，Ｂ，Ｃ，Ｄ、Ｅ  インナー
１  内層
２  外層
３  中間層
３１、３３  水抜き孔
３２  底
【図１】
2017163873.tif 000003
【図２】
2017163873.tif 000004
【図３】
2017163873.tif 000005
【図４】
2017163873.tif 000006
【図５】
2017163873.tif 000007
【図６】
2017163873.tif 000008
【図７】
2017163873.tif 000009
【図８】
2017163873.tif 000010
【図９】
2017163873.tif 000011
【図１０】
2017163873.tif 000012
【手続補正書】
【提出日】平成28年3月30日(2016.3.30)
【手続補正１】
【補正対象書類名】明細書
【補正対象項目名】００１９
【補正方法】変更
【補正の内容】
【００１９】
【図１】本発明のインナーの第１の実施の形態をあらわす一部切欠斜視図である。
【図２】図１のインナーの断面図である。
【図３】図２のインナー底部の拡大断面図である。
【図４】本発明のインナーの第２の実施の形態をあらわす一部切欠斜視図である。
【図５】本発明のインナーの第３の実施の形態をあらわす一部切欠斜視図である。
【図６】図５のインナーの中間層を底面側から見た斜視図である。
【図７】本発明のインナーの第４の実施の形態をあらわす一部切欠斜視図である。
【図８】実施例のインナーの概略平面図である。
【図９】図８のインナーの概略断面図である。
【図１０】従来の吊り鉢の１例をあらわす斜視図である。